(57)【要約】      （修正有）【課題】製品として一体感があり、横置きして使用することができ、破損することがなく、接着剤強度の経年劣化の心配がない多機能容器を提供する。【解決手段】円筒形空洞部を有する少なくとも２個の合成樹脂製スタンド２に、底面を有する円筒形ガラス管５の開口部に蓋部３が取り付けられた円筒形ガラス管５が貫通した状態で取り付けられている多機能容器Ｂである。合成樹脂製スタンド２の空洞部の直径が、円筒形ガラス管５の外径より小さいことが好ましい。【選択図】図５
0003229976.tif 000002
【実用新案登録請求の範囲】
【請求項１】
円筒形空洞部を有する少なくとも2個の合成樹脂製スタンドに、底面を有する円筒形ガラス管の開口部に蓋部が取り付けられた前記円筒形ガラス管が貫通した状態で取り付けられていることを特徴とする多機能容器。
【請求項２】
前記合成樹脂製スタンドの空洞部の直径が、前記円筒形ガラス管の外径よりも、小さいことを特徴とする請求項1の多機能容器。
【考案の詳細な説明】
【技術分野】
【０００１】
本考案は円筒形ガラス管を使用した多機能容器に関する。
【背景技術】
【０００２】
底面を有する円筒形ガラス管を利用したディスプレイ製品はすでに多数製品として流通している。それらのほとんどは円筒形ガラス管本体と木製品・金属・紐等を組み合わせたものである。組み合わせている素材としては、ガラスの質感とは、かなりかけ離れているものである。例えば、特許文献１、特許文献２、特許文献３などがある。
【先行技術文献】
【特許文献】
【０００３】
【特許文献１】特開２０１６−１７１９３３
【特許文献２】実登３１２７３７５
【特許文献３】実願２０１８−０００５１５
【考案の概要】
【考案が解決しようとする課題】
【０００４】
底面を有する円筒形ガラス管の1つであり理化学分野で使用されているガラス製試験管は透明性があり耐熱性と耐腐食性に優れているが、その用途としては、およそ医療研究等に限定されている。ガラス製試験管は大量生産されていて、比較的安価で入手できることから、近年では様々な用途の小物雑貨に利用されて販売されている。しかしデザイン的には平凡で、高級感のあるような製品には至っていない。
【課題を解決するための手段】
【０００５】
本考案は、円筒形空洞部を有する少なくとも2個の合成樹脂製スタンドに、底面を有する円筒形ガラス管の開口部に蓋部が取り付けられた前記円筒形ガラス管が貫通した状態で取り付けられている多機能容器である。合成樹脂製スタンドの空洞部の直径が、円筒形ガラス管の外径より小さいことが好ましい。
【考案の効果】
【０００６】
底面を有する円筒形ガラス管と合成樹脂製スタンドを組み合わせることで、製品としては質感に一体感のあるものとなり、2個以上の合成樹脂製スタンドがあることにより、横置きして使用することができる。またガラス製試験管を横にして使用している製品は無く、視覚デザイン的にも画期的である。用途としてはガラスペンやドライフラワーなどの製品を入れて、製品パッケージとしても視覚的に楽しめる。合成樹脂製スタンドには強度があるので、破損することは無く、互いに接着固定しないので、接着剤強度の経年劣化の心配も無い。
【図面の簡単な説明】
【０００７】
【図１】本考案に使用される合成樹脂製スタンドである。
【図２】本考案に使用される合成樹脂製スタンドである。
【図３】本考案に使用されるコルク栓またはシリコン栓である。
【図４】本考案により組み立てた多機能容器である。
【図５】本考案により組み立てた多機能容器である。
【図６】本考案の多機能容器の各パーツ画像である。
【図７】本考案の多機能容器のコルク栓使用時の画像である。
【図８】本考案の多機能容器のシリコン栓使用時の画像である。
【考案を実施するための形態】
【０００８】
底面を有する円筒形ガラス管としては、理化学分野で使用されている試験管などがある。試験管は硬質ガラスであるが、本考案の円筒型ガラス管は、硬質ガラスにこだわらずソーダガラスなどの軟質ガラスであってもよい。本考案のスタンドに利用できる合成樹脂としては、ポリエチレン (PE) 、ポリプロピレン (PP)、ポリスチレン (PS)、ポリ酢酸ビニル (PVAC)、ポリウレタン(PUR)、ABS樹脂（アクリロニトリルブタジエンスチレン樹脂）、AS樹脂、アクリル樹脂 (PMMA)、ポリ塩化ビニル (PVC) などがあげられる。特にアクリル樹脂などの加工性に優れたものが好ましい。合成樹脂製スタンドの厚みは４ｍｍ以上が好ましい。４ｍｍ未満の厚みでは円筒形ガラス管との摩擦力と安定性に不安が残る。
【０００９】
以下に製造方法を詳しく記載する。円筒型ガラス管の外径をデジタルノギスで正確に計測する。計測した外径よりも０．２ｍｍ〜０．３ｍｍ小さめの内穴の径でアクリル板などの合成樹脂製スタンドをレーザー加工機等を用いて正確に２枚カットする。合成樹脂製スタンドの穴径が円筒型ガラス管の外径と同値では、差し込んだ際の摩擦力が低いため、しっかりと固定することはできない。円筒形ガラス管の底部から対の合成樹脂製スタンドの空洞部に差し込み貫通させる。合成樹脂製スタンドは円筒形ガラス管のバランスの良い適切な箇所に左右配置する。円筒型ガラス管と合成樹脂製スタンドは互いの摩擦によりしっかりと固定される。これにより円筒形ガラス管を横立させることができる。また互いに接着しないことで着脱が可能になり、洗浄などが容易にできる。また取り出しやすさを考慮しガラス管を傾かせる目的で、対のスタンドの外形の大きさや形状は必ずしも同じでなくても良い。また２個の合成樹脂製スタンドにおいては、同じ形状または同じ大きさである必要は無く、どちらか一方が回転しないような形状であれば、容器本体が転がらず安定させることができる。
【実施例１】
【００１０】
以下、図４に沿って実施例を説明する。円筒形ガラス管として底面が丸い試験管を用いる。合成樹脂製のスタンドとしてアクリル板を用いる。アクリル板の厚みは安定性を持たせるため厚み４ｍｍを使用した。円筒形で底面が丸い試験管の外径を正確に測り、アクリル板の中心から試験管の外径よりも０．２ｍｍ小さな径で円筒形空洞部を貫通させ、周囲を正四角形にレーザーカットして図1のような合成樹脂製スタンド1を２個作った。合成樹脂製スタンド1の２個をガラス製丸底試験管４の底部より貫通差し込みして適切な場所にそれぞれ配置する。ガラス製丸底試験管４の口部には図３の蓋部３のコルク栓を差し込むことで、多機能容器Aが完成する。ガラス製丸底試験管の中にはガラスペンやドライフラワーなどを入れて飾ることが可能になる。合成樹脂製スタンド1とガラス製丸底試験管４は互いの摩擦力で固定されているので、接着して固定する必要は無い。
【実施例２】
【００１１】
以下、図５に沿って実施例を説明する。円筒形ガラス管として底面が平らなガラス製試験管を用いる。合成樹脂製のスタンドとしてアクリル板を用いる。アクリル板の厚みは安定性を持たせるため厚み４ｍｍを使用した。円筒形で底面が平らな試験管の外径を正確に測り、アクリル板の中心から試験管の外径よりも０．２ｍｍ小さな径で円筒形空洞部を貫通させ、周囲の側辺を内アールのデザインでレーザーカットして図２のような合成樹脂製スタンド2を２個作った。合成樹脂製スタンド２の２個をガラス製平底試験管５の底部より貫通差し込みして適切な場所にそれぞれ配置する。ガラス製平底試験管５の口部には図３の蓋部３のシリコン栓を差し込むことで、多機能容器Bが完成する。シリコン栓においては、ガラス製試験管の中に液体を入れて水草や花などを飾ることが可能になる。合成樹脂製スタンド2とガラス製平底試験管５は互いの摩擦力で固定されているので、接着して固定する必要は無い。このように合成樹脂製スタンドの外周の形状には自由度があり特別な制限はない。
【産業上の利用可能性】
【００１２】
底面を有する円筒形ガラス管と円筒形空洞部を有する2個以上の合成樹脂製スタンドとを組み合わせ貫通させ蓋部を設けるだけなので、製品としてはとても簡潔で安価に生産できて量産が可能である。美的にも優れているので、ガラスペンを入れて製品パッケージとしての利用や、テーブルディスプレイや企業受付の窓口や食卓の花飾りなどに広く普及させることが可能になる。シリコン栓を使用することで液体を入れて水草や花を美しく飾ることができる。円筒形ガラス管に転写シートなどで図柄を移し焼成することで絵柄入りの飾り容器にすることも可能である。また蓋部を穴あきキャップに変更することで、スパイスなどの調味料容器として使用可能となる。
【００１３】
円筒形ガラス管と円筒形空洞部を有する2個以上の合成樹脂製スタンドとを、互いに接着することなく摩擦力を使って固定することにより、経年変化による接着剤の接着強度の劣化や変色の心配が無くなる。また着脱できることにより互いを別々に洗浄することができるため、清潔に使用することが可能となる。
【符号の説明】
【００１４】
１  合成樹脂製スタンド (円筒形穴空き / 側辺正四角・２個)
２  合成樹脂製スタンド (円筒形穴空き / 側辺内アール・２個)
３  蓋部  (コルク栓  又は  シリコン栓)
４  ガラス製丸底試験管
５  ガラス製平底試験管
A   多機能容器  (１・３・４の組み合わせ)
B   多機能容器  (２・３・５の組み合わせ)
【図１】
0003229976.tif 000003
【図２】
0003229976.tif 000004
【図３】
0003229976.tif 000005
【図４】
0003229976.tif 000006
【図５】
0003229976.tif 000007
【図６】
0003229976.tif 000008
【図７】
0003229976.tif 000009
【図８】
0003229976.tif 000010